(57)【要約】【課題】垂れた尿を速やかに吸収すると共に廃棄処分することなく継続的に使用することができ、経費を抑えると共に環境にも優しい、尿吸収トイレマットを得る。【解決手段】合成樹脂、ゴム、発泡合成樹脂、発泡ゴム、ビニール、木材、合成木材、人工石材などの素材のうち少なくとも１種類以上で形成されたトイレマットであって、その表面においては便器前方に近い方の端部に珪藻土を原料とした尿吸収板を埋設し、裏面においては滑り止め材を貼設して構成する【選択図】図１
0003220191.tif 000002
【実用新案登録請求の範囲】
【請求項１】
合成樹脂、ゴム、発泡合成樹脂、発泡ゴム、ビニール、木材、合成木材、人工石材などの素材のうち少なくとも１種類以上で形成されたトイレマットであって、その表面においては便器前方に近い方の端部に珪藻土を原料とした尿吸収板を埋設し、裏面においては滑り止め材を貼設して構成することを特徴とする、尿吸収トイレマット。
【考案の詳細な説明】
【技術分野】
【０００１】  本考案は、トイレ用のマットに関し、特に男性の放尿時及び放尿後に便器の外に垂れた尿を吸収して便器周辺を衛生的に保つことができる、尿吸収トイレマットに関するものである。
【背景技術】
【０００２】  男性が小便の用を足す場合、洋式便器や小便器などを利用している。該便器内に向かって放尿する際、放尿時及び放尿後において便器の外、詳しくは便器手前の半円部分の外側に尿が垂れることが多々ある。【０００３】  便器の外に垂れた尿は、一般家庭のトイレにおいてはトイレットペーパーや雑巾などで容易に拭き取ることができるが、垂らした本人はこまめに拭き取ることもせずにそのまま放置している場合が多く、不衛生であると共に悪臭も発生していた。また、多くの人が利用する公共施設などのトイレにおいては一般家庭のトイレよりもさらに多量の尿が垂れることが多く、施設側などで定期的にトイレ掃除を行うものの、掃除直後から次のトイレ掃除までの間は、上記と同様に垂れた状態となるため、不衛生であると共に悪臭も発生していた。【０００４】  上記問題点を解決するため、特開平８−１６４０９４号公報の発明の名称「トイレマット」においては、便器回りの床面に配されるよう便器の形状に応じた形状に加工された尿を吸い取る吸水性素材層を有し、該吸水性素材層は粉砕パルプ及び／又は吸水性高分子ポリマーが不織布と樹脂フィルムとの間に挟まれた状態で積層されることを特徴としたトイレマットについて記載され、特開平１１−２８５４５８号号公報の発明の名称「液体吸収シート付トレー」においては、合成樹脂やゴム質体などからなる防水性板状体を適宜の大きさと形状とし、その周縁にガイドを起立して形成されるトレーに対して、ガイドで区分されるトレーの表面に液体吸収シートを置敷きすることにより、容易に敷設したり固定することができ、敷物として使用者の踏圧による位置ズレを防ぎ、衛生的に継続使用ができる液体吸収シート付トレーについて記載されている。
【先行技術文献】
【特許文献】
【０００５】
【特許文献１】特開平８−１６４０９４号
【特許文献２】特開平１１−２８５４５８号
【考案の概要】
【考案が解決しようとする課題】
【０００６】  上記各公報に記載のマット又はシートは、マット又はシート全面に吸水機能を持たせたものであるが、便器の中央両脇付近や足元付近には尿を垂らすことがほとんどないため無駄な部分を有していた。また、吸収性素材層を上層の不織布と下層の樹脂フィルムで積層した構造であり、該吸収性素材は粉砕パルプ及び／又は吸水性高分子ポリマーなどのため吸収のスピードが遅く、繰り返し使用することもできずに廃棄処分されている。このため、経費が嵩むと共に環境に悪影響を及ぼす懸念があるという問題点があった。【０００７】  本考案は、上記問題点を解決するために成されたものであり、垂れた尿を速やかに吸収すると共に廃棄処分することなく継続的に使用することができ、経費を抑えると共に環境にも優しい、尿吸収トイレマットを提供することを目的とする。
【課題を解決するための手段】
【０００８】  上記課題を解決するため本考案の尿吸収トイレマットは、合成樹脂、ゴム、発泡合成樹脂、発泡ゴム、ビニール、木材、合成木材、人工石材などの素材のうち少なくとも１種類以上で形成されたトイレマットであって、その表面においては便器前方に近い方の端部に珪藻土を原料とした尿吸収板を埋設し、裏面においては滑り止め材を貼設して構成する。
【考案の効果】
【０００９】  本考案の尿吸収トイレマットによれば、珪藻土を原料とした尿吸収板により垂れた尿を速やかに吸収することができ、さらには悪臭の発生を抑えることができるという効果を奏する。また廃棄処分することなく継続的に使用することができるため、経費を抑えると共に環境にも優しくなるという効果を奏する。
【図面の簡単な説明】
【００１０】
【図１】本考案の尿吸収トイレマットの一実施例の平面図である。
【図２】本考案の尿吸収トイレマットの一実施例の底面図である。
【図３】本考案の尿吸収トイレマットを便器に配置した状態の平面図である。
【図４】本考案の尿吸収トイレマットの他の実施例の平面図である。
【考案を実施するための形態】
【００１１】  本考案を実施するための形態を図を用いて説明する。図１に示すように、本考案の尿吸収トイレマット１は、合成樹脂、ゴム、発泡合成樹脂、発泡ゴム、ビニール、木材、合成木材、人工石材などの素材のうち少なくとも１種類以上で形成されたマット部２において、その表面においては便器前方に近い方の端部すなわち便器の台座部に配設する凹部４に近い部分に溝部３を削成し、該溝部３内に珪藻土を原料とした尿吸収板５を埋設する。該マット部２の全体表面は防水性を持たせるためのコーティング処理が必要であるが、合成樹脂、ゴム、ビニールなど素材自体に防水性がある場合には不要である。また、該マット部２の表面に印刷を施したりタイルを貼るなどして装飾性を持たせても構わない。
【００１２】  珪藻土は、藻類の一種である珪藻の殻の化石よりなる堆積物（堆積岩）であり、多孔質で水分などの液体を大量に吸収して保持することができる性質を持つものである。尿吸収板５は、該珪藻土の自然状態のものや珪藻土を主成分とした加工品のいずれであっても構わない。
【００１３】  上記珪藻土を原料とした尿吸収板５の厚さは１ｃｍ程度が好適であり、溝部３の深さもその厚さに応じたものとする。なお、該尿吸収板５の手前中央にある切欠部６は、マット部２の溝部３への出し入れが楽に行えるよう指を入れるためのものである。
【００１４】  また図２に示すように、尿吸収トイレマット１の底面においては滑り止め材７を貼設する。該滑り止め材７は、ゴム又は発泡ゴムが好適であるが特に限定するものではない。また、滑り止め材７の大きさや貼設する位置なども特に限定するものではない。また、前記尿吸収トイレマット１の素材がゴムなどそれ自体で滑り止め効果がある場合は、滑り止め材７を貼設しなくても構わない。
【００１５】  また、尿吸収トイレマット１のマット部２の形状は特に限定することなく、便器の形状に適合した形状として構わない。図４の（ａ）は男性用小便器に多くある便器底部の形状が三角形のタイプに適合するよう、凹部４が三角形状となっている。また、（ｂ）は便器が壁に取り付けられている場合などで便器の底部が床に接していないタイプに適合するよう凹部４は設けられていない。
【００１６】  また図３に示すように、本考案の尿吸収トイレマット１を使用する場合、便器８が設置されている床に当該尿吸収トイレマット１の凹部４が便器８の底部に接するように敷く。該状態において便器８の前方側の端部９は平面的に尿吸収板５と重なり合って配置される。
【００１７】  ここで、男性が小便の用を足した場合に、放尿時及び放尿後において便器８の外、詳しくは便器８の前方側の端部９の外側に配置されている尿吸収板５の上に尿１０を何カ所か垂らしてしまった状態を示している。該状態において尿１０は当該尿吸収板５により速やかに跡形もなく吸収される。このため悪臭の発生を防げることになる。
【００１８】  また、尿吸収板５は尿１０を大量に吸収して保持することができる性質を持つことにより廃棄処分することなく継続的に使用することができるため、経費を抑えると共に環境にも優しくなる。
【符号の説明】
【００１９】    １  尿吸収トイレマット
２  マット部
３  溝部
４  凹部
５  尿吸収板
６  切欠部
７  滑り止め材
８  便器
９  端部
１０  尿
【図１】
0003220191.tif 000003
【図２】
0003220191.tif 000004
【図３】
0003220191.tif 000005
【図４】
0003220191.tif 000006